(57)【要約】【課題】音楽の特徴の変化に同期して、画像の表示の切替を行う。【解決手段】一定時間におけるオーディオレベルの高域および／または低域のピーク値を検出し、ピーク値からしきい値を決定する。オーディオレベルが決定されしきい値を超える時間間隔を、撮影済み画像の表示の切替を行う更新間隔（Ｎ秒）とする。Ｎ秒経過した後撮影済み画像の切替がなされる。なお、撮影済み画像の切替の間隔は、音楽のＢＰＭを入力することや、ユーザが所望の間隔で特定のボタンを押すことによっても決定することができる。【選択図】  図１２
2006153923.tif 000002
【特許請求の範囲】
【請求項１】
画像と音楽を同時に再生する機能を備えた画像閲覧装置において、
画像と同時に再生される音楽の特徴を検出する検出手段と、
上記検出手段により検出された上記音楽の特徴の変化と、上記画像の表示間隔とが同期するように制御する表示制御手段を備えることを特徴とする画像閲覧装置。
【請求項２】
請求項１の画像閲覧装置において、
上記音楽の特徴は、音楽のテンポ、曲調、属性情報および振幅の少なくとも一つである画像閲覧装置。
【請求項３】
請求項１に記載の画像閲覧装置において、
上記表示制御手段は、上記表示間隔の制御を自動的に行う手段である画像閲覧装置。
【請求項４】
請求項１に記載の画像閲覧装置において、
上記検出手段は、オーディオデータの高域および／または低域のピーク値を検出し、上記ピーク値からしきい値を設定し、上記オーディオデータのオーディオレベルが、設定された上記しきい値を超える時間間隔を検出する手段である画像閲覧装置。
【請求項５】
請求項１に記載の画像閲覧装置において、
撮像手段をさらに備え、
上記画像は、上記撮像手段により撮影された撮影済み画像である画像閲覧装置。
【請求項６】
画像と音楽を同時に再生する画像閲覧方法において、
画像と同時に再生される音楽の特徴を検出する検出ステップと、
上記検出ステップにより検出された上記音楽の特徴の変化と、上記画像の表示間隔とが同期するように制御する表示制御ステップを含む画像閲覧方法。
【請求項７】
請求項６に記載の画像閲覧方法において、
上記音楽の特徴は、音楽のテンポ、曲調、属性情報および振幅の少なくとも一つである画像閲覧方法。
【請求項８】
請求項６に記載の画像閲覧方法において、
上記検出ステップは、オーディオデータの高域および／または低域のピーク値を検出するステップと、上記ピーク値からしきい値を設定し、上記オーディオデータのオーディオレベルが、設定された上記しきい値を超える時間間隔を検出するステップを含む画像閲覧方法。
【発明の詳細な説明】
【技術分野】
【０００１】
この発明は、画像閲覧装置および画像閲覧方法に関し、特に再生中の音楽の特徴の変化と画像の表示間隔とが同期するように制御する画像閲覧装置および画像閲覧方法に関する。
【背景技術】
【０００２】
ディジタルカメラなどの撮像装置では、撮影済み画像を縮小した画像（サムネイル画像と称される）を順次ＬＣＤ（Liquid Crystal Display）に表示する、所謂、スライドショーと称される機能が備えられることが多い。また、近年のスライドショー機能には、サムネイル画像だけでなく、撮影済み画像を徐々にズームして表示するような工夫がなされているものもある。このようなスライドショーが実行されると、デフォルトで設定されている時間の間隔またはユーザが設定した時間の間隔で撮影済み画像が切替わり、表示される。
【０００３】
また、近年、スライドショーの実行時に単に画像を表示させるだけでなく、同時に音楽を再生させることで、視聴者を飽きさせないようにした音楽再生装置も提案されている。下記特許文献１には、静止画像とともに音声を再生する画像表示装置における画像データと音声データのファイル記録方式等に関する発明が記載されている。
【０００４】
【特許文献１】特許３５５８０４８号公報
【発明の開示】
【発明が解決しようとする課題】
【０００５】
しかしながら、上述した従来の技術では、以下のような問題があった。すなわち、スライドショー実行時に、同時に音楽を再生することは可能となるが、画像を切り替えるタイミングについては、従来と同様に一定間隔となる。
【０００６】
したがって、画像の表示と音楽の再生は、同時に行なわているにも関わらず、一体感のないものとなってしまう。例えば、テンポがはやい音楽が再生されているにも関わらず、画像の表示が一定間隔である場合などは、音楽のテンポと画像の表示が切り替るタイミングがずれてしまい、かえって視聴者であるユーザに対し違和感を与えかねなかった。
【０００７】
したがって、この発明の目的は、再生される音楽の特徴を検出し、検出された音楽の特徴の変化と画像の表示間隔とが同期するように制御する画像閲覧装置および画像閲覧方法を提供することにある。
【課題を解決するための手段】
【０００８】
上述した課題を解決するために、請求項１に係る発明は、画像と音楽を同時に再生する機能を備えた画像閲覧装置において、画像と同時に再生される音楽の特徴を検出する検出手段と、検出手段により検出された音楽の特徴の変化と、画像の表示間隔とが同期するように制御する表示制御手段を備えることを特徴とする画像閲覧装置である。
【０００９】
請求項６に係る発明は、画像と音楽を同時に再生する画像閲覧方法において、画像と同時に再生される音楽の特徴を検出する検出ステップと、検出ステップにより検出された音楽の特徴の変化と、画像の表示間隔とが同期するように制御する表示制御ステップを含む画像閲覧方法である。
【発明の効果】
【００１０】
この発明によれば、再生される音楽の特徴が検出され、検出された音楽の特徴の変化と、画像の表示間隔とが同期するように制御できるため、画像の表示と音楽の再生を一体感のあるものとすることができる。
【発明を実施するための最良の形態】
【００１１】
以下、図面を参照しながらこの発明の一実施形態について説明する。以下に示す一実施形態では、画像閲覧装置の一例として、オーディオ記録再生機能付きカメラ１を用いて説明する。カメラ１において撮像機能を実行するモードをカメラモードと称し、オーディオの記録または再生の少なくとも一方の機能を実行するモードをオーディオモードと称する。また、カメラモードは実際に撮影を行う撮影モードと撮影済み画像を再生する閲覧モードからなる。
【００１２】
なお、撮影済み画像とは、撮影された画像であってカメラ１の内部に備えられた内部メモリまたはカメラ１と着脱自在とされた外部メモリに記憶された画像データを意味する。また、撮影済み画像は、内部メモリまたは外部メモリに記憶された画像データを縮小した画像データを含むものとする。なお、この一実施形態では、撮影済み画像の一例として、サムネイル画像を用いて説明する。
【００１３】
この一実施形態におけるカメラ１では、画像データまたはオーディオデータの記録媒体として光磁気ディスクが用いられる。この発明の一実施形態に用いられる光磁気ディスクは、フォームファクタのような、ディスクの物理的属性は、いわゆるＭＤ(Mini-Disc) システムによって使用されるディスクと実質的に同じである。しかし、ディスク上に記録されたデータと、そのデータがどのようにディスク上に配置されているかについては、従来のＭＤと異なる。
【００１４】
より具体的には、この一実施形態では、ファイル管理システムとしてＦＡＴ(File Allocation Table) システムを使用している。これによって、当該装置は、現行のパーソナルコンピュータに対して互換性を保証することができる。ここでは、「ＦＡＴ」又は「ＦＡＴシステム」という用語は、種々のＰＣベースのファイルシステムを指すのに総称的に用いられる。
【００１５】
また、一実施形態では、現行のＭＤシステムに対して、エラー訂正方式や変調方式を改善することにより、データの記録容量の増大を図るとともに、データの信頼性を高めるようにしている。更に、コンテンツデータを暗号化するとともに、不正コピーを防止して、コンテンツデータの著作権の保護が図れるようにしている。
【００１６】
記録再生のフォーマットとしては、現行のＭＤシステムで用いられているディスクと全く同様のディスク( すなわち、物理媒体)を用いるようにした次世代ＭＤ１の仕様と、現行のＭＤシステムで用いられているディスクとフォームファクタ及び外形は同様であるが、ＤＷＤＤ(Domain Wall Displacement Detection)技術を使うことにより、線記録方向の記録密度を上げて、記録容量をより増大した次世代ＭＤ２の仕様とがある。
【００１７】
現行のＭＤシステムでは、カートリッジに収納された直径６４ｍｍの光磁気ディスクが記録媒体として用いられている。ディスクの厚みは１．２ｍｍであり、その中央に１１ｍｍの径のセンターホールが設けられている。カートリッジの形状は、長さ６８ｍｍ、幅７２ｍｍ、厚さ５ｍｍである。
【００１８】
次世代ＭＤ１の仕様でも次世代ＭＤ２の仕様でも、これらディスクの形状やカートリッジの形状は、全て同じである。リードイン領域の開始位置についても、次世代ＭＤ１の仕様および次世代ＭＤ２の仕様のディスクも、２９ｍｍから始まり、現行のＭＤシステムで使用されているディスクと同様である。
【００１９】
トラックピッチについては、次世代ＭＤ２では、１．２５μｍとされる。これに対して、現行のＭＤシステムのディスクを流用する次世代ＭＤ１では、トラックピッチは１．６μｍとされている。ビット長は、次世代ＭＤ１が０．４４μｍ／ビットとされ、次世代ＭＤ２が０．１６μｍ／ビットとされる。冗長度は、次世代ＭＤ１および次世代ＭＤ２ともに、２０．５０％である。
【００２０】
次世代ＭＤ２の仕様のディスクでは、ＤＷＤＤ技術を使うことにより、線密度方向の記録容量を向上するようにしている。ＤＷＤＤ技術は、所定の温度になると、切断層が磁気的にニュートラルな状態になり、再生層に転写されていた磁壁が移動することで、微少なマークがビームスポットの中で大きく見えるようになることを利用したものである。
【００２１】
すなわち、次世代ＭＤ２の仕様のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００２２】
また、次世代ＭＤ２の仕様のディスクでは、デトラックマージン、ランドからのクロストーク、ウォブル信号のクロストーク、フォーカスの漏れを改善するために、グルーブを従来のＭＤディスクより深くし、グルーブの傾斜を鋭くしている。次世代ＭＤ２の仕様のディスクでは、グルーブの深さは例えば１６０ｎｍから１８０ｎｍであり、グルーブの傾斜は例えば６０度から７０度であり、グルーブの幅は例えば６００ｎｍから７００ｎｍである。
【００２３】
また、光学的の仕様については、次世代ＭＤ１の仕様では、レーザ波長λが７８０ｎｍとされ、光学ヘッドの対物レンズの開口率ＮＡが０．４５とされている。次世代ＭＤ２の仕様も同様に、レーザ波長λが７８０ｎｍとされ、光学ヘッドの開口率ＮＡが０．４５とされている。
【００２４】
記録方式としては、次世代ＭＤ１の仕様も次世代ＭＤ２の仕様も、グルーブ記録方式が採用されている。つまり、グルーブ（ディスクの盤面上の溝）をトラックとして記録再生に用いるようにしている。
【００２５】
エラー訂正符号化方式としては、現行のＭＤシステムでは、ＡＣＩＲＣ(Advanced Cross Interleave Reed-Solomon Code) による畳み込み符号が用いられていたが、次世代ＭＤ１および次世代ＭＤ２の仕様では、ＲＳ−ＬＤＣ（Reed Solomon−Long Distance Code）とＢＩＳ（Burst Indicator Subcode ）とを組み合わせたブロック完結型の符号が用いられている。
【００２６】
ブロック完結型のエラー訂正符号を採用することにより、リンキングセクタが不要になる。ＬＤＣとＢＩＳとを組み合わせたエラー訂正方式では、バーストエラーが発生したときに、ＢＩＳによりエラーロケーションが検出できる。このエラーロケーションを使って、ＬＤＣコードにより、イレージャ訂正を行うことができる。
【００２７】
アドレス方式としては、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Address in Pregroove）と呼ばれている。現行のＭＤシステムと、次世代ＭＤ１および次世代ＭＤ２の仕様では、線密度が異なると共に、現行のＭＤシステムでは、エラー訂正符号として、ＡＣＩＲＣと呼ばれる畳み込み符号が用いられているのに対して、次世代ＭＤ１および次世代ＭＤ２の仕様では、ＬＤＣとＢＩＳとを組み合わせたブロック完結型の符号が用いられているため、冗長度が異なり、ＡＤＩＰとデータとの相対的な位置関係が変わっている。そこで、現行のＭＤシステムと同じ物理構造のディスクを流用する次世代ＭＤ１の仕様では、ＡＤＩＰ信号の扱いを、現行のＭＤシステムのときとは異なるようにしている。また、次世代ＭＤ２の仕様では、次世代ＭＤ２の仕様により合致するように、ＡＤＩＰ信号の仕様に変更を加えている。
【００２８】
変調方式については、現行のＭＤシステムでは、ＥＦＭ(8 to 14 Modulation)が用いられているのに対して、次世代ＭＤ１および次世代ＭＤ２の仕様では、ＲＬＬ（１，７）ＰＰ（ＲＬＬ;Run Length Limited , ＰＰ;Parity Preserve/Prohibit rmtr(repeated minimum transition runlength)）（以下、１−７ｐｐ変調と称する）が採用されている。また、データの検出方式は、次世代ＭＤ１ではパーシャルレスポンスＰＲ（１，２，１）ＭＬを用い、次世代ＭＤ２ではパーシャルレスポンスＰＲ（１，−１）ＭＬを用いたビタビ復号方式とされている。
【００２９】
また、ディスク駆動方式はＣＬＶ（Constant Linear Velocity）またはＺＣＡＶ（Zone Constant Angular Velocity）で、その標準線速度は、次世代ＭＤ１の仕様では、２．４ｍ／秒とされ、次世代ＭＤ２の仕様では、１．９８ｍ／秒とされる。なお、現行のＭＤシステムの仕様では、６０分ディスクで１．２ｍ／秒、７４分ディスクで１．４ｍ／秒とされている。
【００３０】
現行のＭＤシステムで用いられるディスクをそのまま流用する次世代ＭＤ１の仕様では、ディスク１枚当たりのデータ総記録容量は約３００Ｍバイト（８０分ディスクを用いた場合）になる。変調方式がＥＦＭから１−７ｐｐ変調とされることで、ウィンドウマージンが０．５から０．６６６となり、この点で、１．３３倍の高密度化が実現できる。また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
【００３１】
ＤＷＤＤ技術を利用した次世代ＭＤ２の仕様のディスクでは、更に線密度方向の高密度化が図られ、データ総記録容量は、約１Ｇバイトになる。
【００３２】
データレートは標準線速度にて、次世代ＭＤ１では４．４Ｍビット／秒であり、次世代ＭＤ２では、９．８Ｍビット／秒である。
【００３３】
上述したＭＤのうち現行ＭＤは、オーディオデータの記録再生のみが可能とされ、次世代ＭＤ１および次世代ＭＤ２は、オーディオデータの記録再生および画像データの記録再生が可能とされている。また、次世代ＭＤ１および次世代ＭＤ２に、オーディオデータと画像データを混在させることもできる。
【００３４】
図１は、この発明の一実施形態におけるオーディオ記録再生機能付きカメラ１の前面を示す。前面には、撮影レンズ１１と水平方向にスライドさせることが可能なレンズカバー１２が設けられ、また、ストロボ発光部１３が設けられる。
【００３５】
図２は、カメラ１の背面、上面、左側面、右側面および底面を示す。カメラ１の背面には、例えば各種の情報の表示画面であるＬＣＤ（Liquid Crystal Display）１６が設けられる。
【００３６】
カメラ１の背面に設けられる入力装置として、略円形状の集中コントローラ１７、メニューボタン１９、ストップ／キャンセルボタン１８、スライドショーボタン２０、ディスプレイボタン２１が設けられる。
【００３７】
また、カメラ１の背面には、入力装置のほかに、充電中であることをユーザに示すＬＥＤ(Light emitting Diode)などにより構成されるＣＨＧランプ２２、パーソナルコンピュータ（ＰＣ）と通信中であることを示すＯＰＴ／ＰＣランプ２３が設けられる。
【００３８】
カメラ１の上面には、シャッターボタン１４が設けられる。シャッターボタン１４は２段階に押下可能とされ、いわゆる「半押し」の状態でオートフォーカス機能および自動露出制御が実行され、「全押し」の状態で撮影が実行される。また、カメラモードのオンオフを切り替えるためのカメラボタン１５が設けられる。
【００３９】
カメラ１の左側面には、カメラ１と後述するリモートコントロール装置を接続するリモコンジャック２４が設けられる。また、右側面には、音量調節用ボタン２５、入力装置の操作を無効にするスライド式のホールドボタン２７およびバッテリー収納部２８が設けられる。ダウンロードボタン２６は、例えばカメラ１がパーソナルコンピュータと接続された場合などに、パーソナルコンピュータから画像データ等のダウンロードを実行するためのボタンである。
【００４０】
カメラ１の底面には、例えばパーソナルコンピュータとＵＳＢ（Universal Serial Bus）接続するためのＵＳＢ端子２９が設けられ、また、カメラ１に光磁気ディスクを収納するためのオープンボタン３０が設けられる。光磁気ディスクはカメラ１の筐体の中のディスク収納部に収納される。
【００４１】
図３は、上述した集中コントローラ１７の一例を示す。集中コントローラ１７は、略円形状とされ、中央に決定ボタン３３が設けられる。決定ボタン３３の周囲には上下左右方向のキーが設けられ、各キーは押下可能なボタンとされている。それぞれの方向におけるボタンを上キー３４、下キー３５、左キー３６、右キー３７と称する。また、集中コントローラの周囲には、回転自在とされたジョグダイヤル３８が設けられる。
【００４２】
図４は、集中コントローラ１７の各キーに割り当てられる代表的な機能の一例を、各モード毎に示した表である。図４を参照して、各モード時における各キーの具体的な使用例を説明する。
【００４３】
はじめにオーディオモード時の使用例について説明する。オーディオモード時に決定ボタン３３が押されると、オーディオ再生が停止している場合は再生を開始する。
【００４４】
右キー３７の操作では主に早送り機能が実行される。オーディオ再生中に、右キー３７を短く押されると再生中のトラックの次のトラックの先頭まで進み、再生が開始される。オーディオ停止中に、右キー３７が短く押されると停止しているトラックの次のトラックの先頭まで進んで停止される。
【００４５】
オーディオ再生中に、右キー３７が長く押されると再生中の位置から早送り再生が開始される。また、オーディオ一時停止中に右キー３７が長く押されると、停止している位置からの早送りが開始される。
【００４６】
左キー３６の操作では主に早戻し機能が実行される。オーディオ再生中に、左キー３６を短く押されると再生中のトラックの途中を再生中であった場合は、トラックの先頭に戻り再生が開始され、トラックの先頭を再生中であった場合は１つ前のトラックの先頭に戻り再生が開始される。オーディオ停止中に、左キー３６が短く押されると停止しているトラックの前のトラックの先頭まで戻る。
【００４７】
オーディオ再生中に、左キー３６が長く押されると再生中の位置から早戻り再生が開始される。また、オーディオ一時停止中に左キー３６が長く押されると、停止している位置からの早戻りが開始される。
【００４８】
オーディオ再生中に、ストップ／キャンセルボタン１８が押されると、オーディオの再生が停止される。停止後、一定の時間新たな入力が無い場合は、電源が自動的に遮断されスリープ状態となる。
【００４９】
オーディオ再生中に、決定ボタン３３が押されると、再生が停止され、一時停止の状態となる。
【００５０】
次にカメラモード時の使用例について説明する。カメラモード時にカメラボタン１５が押されると、カメラモードが終了し、電源が遮断しスリープ状態となる。
【００５１】
左キー３６は、閲覧モード時に、選択されている画像の前の画像を表示する。また、右キー３７は選択されている画像の後の画像を表示する。
【００５２】
また、カメラ閲覧モード時に、決定ボタン３３が押されるとＬＣＤ１６に表示される画像の全画面表示と、サムネイル画像の表示の切替が行われる。
【００５３】
図５は、この一実施形態におけるカメラ１のモードの切替りを示す。カメラモードの起動は、カメラボタン１５をオンオフすることで行われる。また、オーディオモード時にレンズカバー１２が開けられると自動的にカメラモードに切り替わる。
【００５４】
また、カメラモードの状態で、レンズカバー１２を開閉することで撮影モードと閲覧モードが切り替わる。レンズカバー１２が開いた状態では撮影モードとなり、閉じた状態では閲覧モードとなる。
【００５５】
オーディオモードでオーディオ再生中以外のときや、カメラモードの閲覧モード時にカメラ１とパーソナルコンピュータをＵＳＢ接続することで、カメラ１とパーソナルコンピュータ間でデータの送受を行うことが可能となる。
【００５６】
なお、上述したようにオーディオモード時に、一定時間、入力装置の入力が無い場合は、自動的に電源が遮断し、スリープ状態となる。また、ホールドボタン２７がオンされていないスリープ状態で、何らかの入力がなされると、自動的に電源が供給される。したがって電源オン／オフボタンを別個に設ける必要はない。
【００５７】
上述したように、カメラ１の動作は、カメラモードまたはオーディオモードのいずれか一方により動作するが、スライドショーボタン２０が操作されスライドショーが実行されたときは、オーディオモードの再生および閲覧モードが同時に動作する。言い換えれば、音楽を再生しながら、撮影済み画像が再生表示される。なお、スライドショーが実行されるときの音楽の再生は、所謂、リジューム機能と称されるように最後に再生された曲の開始時から再生されるようにしてもよい。
【００５８】
図６は、この発明の一実施形態におけるカメラ１の信号処理系の構成を示す。カメラ１は、主としてカメラ部、オーディオ部、制御部、操作部からなる。
【００５９】
はじめにカメラ部について説明する。この一実施形態は、社団法人電子情報技術産業協会（JEITA:Japan Electronics and Information Technology industries Association）の規格として定められている現在の標準的なカメラの規格に準拠したものである。
【００６０】
すなわち、一実施形態では、ＤＣＦ（Design rule for Camera File System）のファイルシステムの規格に準拠し、Ｅｘｉｆ(Exchangeable image file format for digital still camera)のファイルフォーマットに準拠したものである。ＪＰＥＧ(Joint Photographic Coding Expert Group)ファイルフォーマットには、アプリケーションマーカセグメントという領域が定義されており、アプリケーション固有の情報を格納できるようにされている。Ｅｘｉｆファイルフォーマットは、この領域にＥｘｉｆ独自の情報を格納している。
【００６１】
図６において、レンズ４２から入射された光は、絞り４３により光量が調節され、ＣＣＤ４４に供給される。レンズ４２、絞り４３はＣＰＵ４１のカメラ制御部４１ａにより制御され、レンズ位置や光量が調節される。
【００６２】
ＣＰＵ４１からの制御信号がＣＣＤドライバ４７に供給され、ＣＣＤドライバ４７からＣＣＤ４４に対し、駆動タイミングと駆動パルスが供給される。ＣＣＤ４４では、入射した光量に応じて光電変換が行われ、入射した光量に応じた電気信号が生成される。
【００６３】
ＣＣＤ４４で生成された電気信号は信号処理部４５に供給される。信号処理部４５では、例えば雑音低減処理、輝度補正処理、欠陥画素補正処理、色補正などの所定の信号処理がなされる。
【００６４】
信号処理部４５から出力された信号はＡ／Ｄ変換部４６でディジタル信号に変換され、一旦ＲＡＭ４９に書き込まれる。ＲＡＭ４９から読み出された画像データは、圧縮／伸張回路４８で例えばＪＰＥＧ(Joint Photographic Coding Expert Group)方式で圧縮され、圧縮された画像データはＳＤＲＡＭ(Synchronous Dynamic Random Access Memory)インターフェース（Ｉ／Ｆ）６２を介して、ＳＤＲＡＭ６３に記憶される。なお、Ａ／Ｄ変換部４６から出力されるディジタル信号は、ＲＡＭ４９を経由せずに圧縮／伸張回路４８に供給されるようにしても良い。
【００６５】
ＳＤＲＡＭ６３は、例えば８メガバイトの容量を有する。ＳＤＲＡＭ６３には、エラー訂正用エリアやトラック情報、ディスク情報、ＦＡＴ情報が保持されるエリアからなる。また、ＳＤＲＡＭ６３には画像データやオーディオデータのバッファ用エリアが設けられ、このバッファ用のエリアは、例えば８メガバイトのうち６メガバイト使用される。その中に、振動時の音飛び防止メモリ（ショック・プルーフ・メモリと称される）用のエリアが設けられる。
【００６６】
ＳＤＲＡＭ６３に記憶された画像データは、メディアドライブ部６１を介して光磁気ディスク６０（以下、適宜、ディスク６０と略す）に記録される。
【００６７】
次に、ディスク６０に記録された画像データの再生について説明する。ディスク６０に記録されている画像データは、メディアドライブ部６１により読み出され、ＳＤＲＡＭ６３に記憶される。
【００６８】
ＳＤＲＡＭ６３に記憶されたデータは、ＳＤＲＡＭＩ／Ｆ６２を介して圧縮／伸張部４８に供給される。圧縮／伸張部４８では、圧縮されている画像データの伸張処理がなされ、ＹＣ／ＲＧＢ変換部５１に供給される。ＹＣ／ＲＧＢ変換部５１において所定の画像処理がなされ、ＬＣＤ１６に再生画像が表示される。
【００６９】
次に、オーディオデータ部について説明する。はじめに、オーディオデータの記録について説明する。例えば、カメラ１は図示しないパーソナルコンピュータとＵＳＢ６９を用いて接続される。上述したダウンロードボタン２６が押され、パーソナルコンピュータから所望のオーディオデータがダウンロードされる。
【００７０】
ダウンロードされたオーディオデータは、ＳＤＲＡＭＩ／Ｆ６２を介してオーディオエンコーダ／デコーダ部６５でエンコード処理がなされる。エンコードされたオーディオデータは、ＳＤＴＲＡＭＩ／Ｆ６２を介してＳＤＲＡＭ６３に記憶される。ＳＤＲＡＭ６３に記憶されたデータは順次読み出され、メディアドライブ部６１を介して、ディスク６０に記録される。
【００７１】
また、図示しないが、通信Ｉ／Ｆを設け、インターネットを通じてオーディオデータをダウンロードできるようにし、ディスク６０に記録してもよい。
【００７２】
次に、オーディオデータの再生について説明する。ディスク６０に記録されているオーディオデータは、メディアドライブ部で読み出され、ＳＤＲＡＭ６３に記憶される。ＳＤＲＡＭ６３から出力されるオーディオデータはＳＤＲＡＭＩ／Ｆ６２を介して、オーディオエンコーダ／デコーダ部６５に供給される。
【００７３】
また、ＣＰＵ４１のオーディオ制御部４１ｂからは、ＤＳＰ（Digital Signal Processor）Ｉ／Ｆ６４を介して、オーディオエンコーダ／デコーダ部６５に対し、デコード処理のコマンドが発せられる。
【００７４】
ＣＰＵ４１からのコマンドに基づき、オーディオエンコーダ／デコーダ部６５でデコード処理が行われる。デコードされたオーディオ信号はＤ／Ａ変換部６６でアナログ信号に変換され、増幅部６７で増幅された後、ヘッドフォン端子６８に供給される。オーディオエンコーダ／デコーダ部６５では、例えばＡＴＲＡＣ（Adaptive Transform Acoustic Coding）方式によるエンコード／デコードがなされる。
【００７５】
図７を参照して、メディアドライブ部６１の構成を説明する。メディアドライブ部６１は、現行のＭＤシステムのディスクと、次世代ＭＤ１のディスクと、次世代ＭＤ２のディスクとが装填されるターンテーブルを有しており。メディアドライブ部６１では、ターンテーブルに装填されたディスク６０をスピンドルモータ１０２によってＣＬＶ方式で回転駆動させる。このディスク６０に対しては記録／再生時に光学ヘッド９２によってレーザ光が照射される。
【００７６】
光学ヘッド９２は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド９２には、ここでは詳しい図示は省略するがレーザ出力手段としてのレーザダイオード、偏光ビームスプリッタや対物レンズ等からなる光学系、および反射光を検出するためのディテクタが搭載されている。光学ヘッド９２に備えられる対物レンズとしては、例えば２軸機構によってディスク半径方向およびディスクに接離する方向に変位可能に保持されている。
【００７７】
また、ディスク６０を挟んで光学ヘッド９２と対向する位置には磁気ヘッド９１が配置されている。磁気ヘッド９１は記録データによって変調された磁界をディスク６０に印加する動作を行う。また、図示しないが光学ヘッド９２全体および磁気ヘッド９１をディスク半径方向に移動させためスレッドモータおよびスレッド機構が備えられている。
【００７８】
光学ヘッド９２および磁気ヘッド９１は、次世代ＭＤ２のディスクの場合には、パルス駆動磁界変調を行うことで、微少なマークを形成することができる。現行ＭＤのディスクや、次世代ＭＤ１のディスクの場合には、ＤＣ発光の磁界変調方式とされる。
【００７９】
このメディアドライブ部では、光学ヘッド９２、磁気ヘッド９１による記録再生ヘッド系、スピンドルモータ１０２によるディスク回転駆動系のほかに、記録処理系、再生処理系、サーボ系等が設けられる。
【００８０】
なお、ディスク６０としては、現行のＭＤ仕様のディスクと、次世代ＭＤ１の仕様のディスクと、次世代ＭＤ２の仕様のディスクとが装着される可能性がある。これらのディスクにより、線速度が異なっている。スピンドルモータ１０２は、これら線速度の異なる複数種類のディスクに対応する回転速度で回転させることが可能である。ターンテーブルに装填されたディスク６０は、現行のＭＤ仕様のディスクの線速度と、次世代ＭＤ１の仕様のディスクの線速度と、次世代ＭＤ２の仕様のディスクの線速度とに対応して回転される。
【００８１】
次世代ＭＤ１または次世代ＭＤ２であるかは、例えばリードインの情報から判断できる。すなわち、リードインにエンボスピットによるＰ−ＴＯＣ(Table Of Contents)が検出されれば、現行のＭＤまたは次世代ＭＤ１のディスクであると判別できる。リードインにＡＤＩＰ信号によるコントロール情報が検出され、エンボスピットによるＰ−ＴＯＣが検出されなければ、次世代ＭＤ２であると判断できる。また、このような判別法に限らず、例えばオントラックのときと、オフトラックのときとのトラッキングエラー信号の位相から判別することもできる。
【００８２】
記録処理系では、現行のＭＤシステムのディスクの場合に、オーディオトラックの記録時に、ＡＣＩＲＣでエラー訂正符号化を行い、ＥＦＭで変調してデータを記録する部位と、次世代ＭＤ１または次世代ＭＤ２の場合に、ＢＩＳとＬＤＣを組み合わせた方式でエラー訂正符号化を行い、１−７ｐｐ変調で変調して記録する部位が設けられる。
【００８３】
再生処理系では、現行のＭＤシステムのディスクの再生時に、ＥＦＭの復調とＡＣＩＲＣによるエラー訂正処理と、次世代ＭＤ１または次世代ＭＤ２システムのディスクの再生時に、パーシャルレスポンスおよびビタビ復号を用いたデータ検出に基づく１−７復調と、ＢＩＳとＬＤＣによるエラー訂正処理とを行う部位が設けられる。
【００８４】
また、現行のＭＤシステムや次世代ＭＤ１のＡＤＩＰ信号よるアドレスをデコードする部位と、次世代ＭＤ２のＡＤＩＰ信号をデコードする部位とが設けられる。
【００８５】
光学ヘッド９２のディスク６０に対するレーザ照射によりその反射光として検出された情報（フォトディテクタによりレーザ反射光を検出して得られる光電流）は、ＲＦアンプ９４に供給される。
【００８６】
ＲＦアンプ９４では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク６０にトラックのウォブリングにより記録されているＡＤＩＰ情報）等を抽出する。
【００８７】
現行のＭＤシステムのディスクを再生するときには、ＲＦアンプで得られた再生ＲＦ信号は、ＥＦＭ復調部９７およびＡＣＩＲＣデコーダ９８で処理される。すなわち再生ＲＦ信号は、ＥＦＭ復調部９７で２値化されてＥＦＭ信号列とされた後、ＥＦＭ復調され、更にＡＣＩＲＣデコーダ９８で誤り訂正およびデインターリーブ処理される。すなわちこの時点でＡＴＲＡＣ圧縮データの状態となる。
【００８８】
そして現行のＭＤシステムのディスクの再生時には、セレクタ９９はＢ接点側が選択されており、その復調されたＡＴＲＡＣ圧縮データがディスク６０からの再生データとして出力される。
【００８９】
一方、次世代ＭＤ１または次世代ＭＤ２のディスクを再生するときには、ＲＦアンプ９４で得られた再生ＲＦ信号は、ＲＬＬ（１−７）ＰＰ復調部９５およびＲＳ−ＬＤＣデコーダ９６で処理される。すなわち再生ＲＦ信号は、ＲＬＬ（１−７）ＰＰ復調部９５において、ＰＲ（１，２，１）ＭＬまたはＰＲ（１，−１）ＭＬおよびビタビ復号を用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ９６で誤り訂正およびデインターリーブ処理される。
【００９０】
そして次世代ＭＤ１または次世代ＭＤ２のディスクの再生時には、セレクタ９９はＡ接点側が選択されており、その復調されたデータがディスク６０からの再生データとして出力される。
【００９１】
ＲＦアンプ９４から出力されるトラッキングエラー信号ＴＥ、フォーカスエラー信号ＦＥはサーボ回路１００に供給され、グルーブ情報はＡＤＩＰ復調部１０３に供給される。
【００９２】
ＡＤＩＰ復調部１０３は、グルーブ情報に対してバンドパスフィルタにより帯域制限してウォブル成分を抽出した後、ＦＭ復調、バイフェーズ復調を行ってＡＤＩＰ信号を復調する。復調されたＡＤＩＰ信号は、アドレスデコーダ１０５およびアドレスデコーダ１０６に供給される。
【００９３】
現行のＭＤシステムのディスクまたは次世代ＭＤ１のシステムのディスクでは、ＡＤＩＰセクタナンバが８ビットになっている。これに対して、次世代ＭＤ２のシステムのディスクでは、ＡＤＩＰセクタナンバが４ビットになっている。アドレスデコーダ１０５は、現行のＭＤまたは次世代ＭＤ１のＡＤＩＰアドレスをデコードする。アドレスデコーダ１０６は、次世代ＭＤ２のアドレスをデコードする。
【００９４】
アドレスデコーダ１０５および１０６でデコードされたＡＤＩＰアドレスは、ドライブコントローラ１０４に供給される。ドライブコントローラ１０４ではＡＤＩＰアドレスに基づいて、所要の制御処理を実行する。またグルーブ情報はスピンドルサーボ制御のためにサーボ回路１００に供給される。
【００９５】
サーボ回路１００は、例えばグルーブ情報に対して再生クロック（デコード時のＰＬＬ系クロック）との位相誤差を積分して得られる誤差信号に基づき、ＣＬＶまたはＣＡＶサーボ制御のためのスピンドルエラー信号を生成する。
【００９６】
またサーボ回路１００は、スピンドルエラー信号や、ＲＦアンプ９４から供給されたトラッキングエラー信号、フォーカスエラー信号、あるいはドライブコントローラ１０４からのトラックジャンプ指令、アクセス指令等に基づいて各種サーボ制御信号（トラッキング制御信号、フォーカス制御信号、スレッド制御信号、スピンドル制御信号等）を生成し、モータドライバ１０１に対して出力する。すなわちサーボエラー信号や指令に対して位相補償処理、ゲイン処理、目標値設定処理等の必要処理を行って各種サーボ制御信号を生成する。
【００９７】
モータドライバ１０１では、サーボ回路１００から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ１０２を駆動するスピンドルモータ駆動信号となる。このようなサーボドライブ信号により、ディスク６０に対するフォーカス制御、トラッキング制御、およびスピンドルモータ１０２に対するＣＬＶまたはＣＡＶ制御が行われることになる。
【００９８】
現行のＭＤシステムのディスクでオーディオデータを記録するときには、セレクタ８９がＢ接点に接続され、したがってＡＣＩＲＣエンコーダ８７およびＥＦＭ変調部８８が機能することになる。この場合、ＳＤＲＡＭ６３から供給される圧縮データはＡＣＩＲＣエンコーダ８７でインターリーブおよびエラー訂正コード付加が行われた後、ＥＦＭ変調部８８でＥＦＭ変調が行われる。
【００９９】
そしてＥＦＭ変調データがセレクタ８９を介して磁気ヘッドドライバ９０に供給され、磁気ヘッド９１がディスク６０に対してＥＦＭ変調データに基づいた磁界印加を行うことでトラックの記録が行われる。
【０１００】
次世代ＭＤ１または次世代ＭＤ２のディスクにデータを記録するときには、セレクタ８９がＡ接点に接続され、したがってＲＳ−ＬＤＣエンコーダ８５およびＲＬＬ（１−７）ＰＰ変調部８６が機能することになる。この場合、ＳＤＲＡＭ６３からの高密度データはＲＳ−ＬＤＣエンコーダ８５でインターリーブおよびＲＳ−ＬＤＣ方式のエラー訂正コード付加が行われた後、ＲＬＬ（１−７）ＰＰ変調部８６でＲＬＬ（１−７）変調が行われる。
【０１０１】
そしてＲＬＬ（１−７）符号列としての記録データがセレクタ８９を介して磁気ヘッドドライバ９０に供給され、磁気ヘッド９１がディスク６０に対して変調データに基づいた磁界印加を行うことでデータトラックの記録が行われる。
【０１０２】
レーザドライバ／ＡＰＣ９３は、のような再生時および記録時においてレーザダイオードにレーザ発光動作を実行させるが、いわゆるＡＰＣ（Automatic Laser Power Control ）動作も行う。
【０１０３】
すなわち、図示していないが、光学ヘッド９２内にはレーザパワーモニタ用のディテクタが設けられ、そのモニタ信号がレーザドライバ／ＡＰＣ９３にフィードバックされる。レーザドライバ／ＡＰＣ９３は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。
【０１０４】
なお、レーザパワーとしては、再生レーザパワー、記録レーザパワーとしての値がドライブコントローラ１０４によって、レーザドライバ／ＡＰＣ９３内部のレジスタにセットされる。
【０１０５】
ドライブコントローラ１０４は、ＣＰＵ４１からの指示に基づいて、以上の各動作（アクセス、各種サーボ、データ書込、データ読出の各動作）が実行されるように制御を行う。
【０１０６】
なお、図７において一点鎖線で囲ったＡ部、Ｂ部は、例えば１チップの回路部として構成できる。
【０１０７】
次に、図６に戻り、カメラ１の制御を行う制御部について説明する。この一実施形態におけるカメラ１の制御部であるＣＰＵ４１は、カメラ制御部４１ａおよびオーディオ制御部４１ｂからなり、各モードに応じて切替が可能とされている。ＣＰＵ４１が実行する各プログラムは、ＲＯＭ(Reed Only Memory)５３に格納され、処理に応じて読み出され実行される。なお、この一実施形態では、ひとつのＣＰＵ４１を有する構成としたが、カメラ制御と、オーディオ制御とを別々のＣＰＵが行うようにしてもよい。
【０１０８】
次に操作部について説明する。図６における入力部７０はカメラ本体に備えられる入力装置を総称したものである。入力部７０の所定の入力装置が操作されると、Ａ／Ｄポート７１でディジタル信号へ変換され、ディジタル信号はＣＰＵ４１に供給される。ＣＰＵ４１は供給されたディジタル信号を解析し、操作に応じた機能を実現するプログラムを実行し、各部を制御する。
【０１０９】
カメラ１における入力部７０の操作は、ＬＣＤ１６の表示を用いたＧＵＩ(Graphical User Interface)により効率的に行うことができる。
【０１１０】
図６に戻り、他の入力装置について説明する。カメラ１のＡ／Ｄポート７１には、シリアルＩ／Ｆ７２を通じてカメラ１と接続されたリモートコントロール装置７３の操作が入力される。Ａ／Ｄポート７１は、カメラ１の入力部７０から供給される信号用のＡ／Ｄポートと、リモートコントロール装置７３から供給される信号のＡ／Ｄポートとが別個に設けられる。
【０１１１】
次に、この発明の特徴であるスライドショーの実行時における画像データの再生表示およびオーディオデータの再生について説明する。以下に示す説明では、ディスク６０に画像データおよびオーディオデータが混在して記録されているものとして説明する。
【０１１２】
スライドショーが実行されると、メディアドライブ部６１によりディスク６０に記録されているサムネイル画像が記録された画像ファイル（以下、画像ファイルｔｈｍｂと称する）が読み出され、ＳＤＲＡＭ６３に記憶される。
【０１１３】
図８は、ディスク６０に記録されている画像データのフォルダの構成の一例を示す。ディスク６０にはＤＣＩＭフォルダが形成され、下の階層にフォルダ名が“100abc”“101abc”“102abc”のフォルダが形成されている。フォルダ名の設定は、カメラ１の仕様により異なるが、例えば100、101、102のように連番が用いられる。
【０１１４】
例えば、フォルダ“100abc”を選択すると、フォルダ内の画像ファイルが表示される。この一実施形態におけるフォルダ“100abc”には、例えば“101001.jpg”〜“101001.jpg”で示すＪＰＥＧで圧縮された９つの画像ファイルが格納されている。各画像ファイルは、例えばＥｘｉｆで規定されているデータ構造とされ、具体的には、画素数、圧縮モード、撮影日時などに関するヘッダ、主画像に関するデータ、主画像を縮小したサムネイル画像の画像データが格納されている。
【０１１５】
さらに、フォルダ“100abc”には画像ファイルｔｈｍｂが生成される。画像ファイルｔｈｍｂは、各画像ファイル中のサムネイル画像が集められたファイルである。すなわち、スライドショーの実行時に、画像ファイルｔｈｍｂを読み出すことで、各画像ファイル中のサムネイル画像のデータを読み出すことなく、サムネイル画像の表示再生を行うことが可能となる。
【０１１６】
ディスク６０から読み出された画像ファイルｔｈｍｂは、ＳＤＲＡＭ６３に記憶される。図９はＳＤＲＡＭ６３のエリア構成の一例を示す。上述したようにＳＤＲＡＭ６３にはエラー訂正用エリア、トラック情報、ＦＡＴ情報が管理されるエリアなどが設けられる。スライド−ショー実行時には、さらに画像ファイルｔｈｍｂを記憶する画像データ用バッファエリアが設けられ、また画像データの記録再生を行うためのワークエリアが設けられる。ＳＤＲＡＭ６３では、残りのエリアがオーディオデータのバッファエリアとして用いられる。
【０１１７】
なお、この一実施形態では、画像ファイルｔｈｍｂがスライドショー実行時に読み出されるとしたが、ディスク６０がカメラ１に装填されたときに読み出されるようにしてもよい。
【０１１８】
画像ファイルｔｈｍｂがＳＤＲＡＭ６３に記憶され、上述したようにしてオーディオの再生が行われる。ＣＰＵ４１で、後述する方法等により、オーディオの特徴が検出され、サムネイル画像を切り替える間隔が決定される。
【０１１９】
ＣＰＵ４１には、タイマー機能が備えられ、決定された間隔の時間が経過すると、サムネイル画像を切り替える割り込み処理がなされる。すなわち、ＳＤＲＡＭ６３の画像データ用バッファに記憶されている次のサムネイル画像の画像データへのアクセスが行われ、上述したような所定の信号処理がなされてＬＣＤ１６への表示がされる。
【０１２０】
サムネイル画像は、撮影日時が古い順、すなわち画像ファイル番号が少ない順に表示されるようにしてもよいし、ランダムに表示されるようにしてもよい。
【０１２１】
次に、音楽の特徴の検出について説明する。音楽の特徴の検出については、ユーザが表示間隔を設定する方法と、カメラ１が音楽の特徴を自動的に検出し、検出された音楽の特徴に対応して表示間隔を設定する方法が可能とされる。
【０１２２】
ユーザが、表示間隔を設定する方法の一例について説明する。例えば、オーディオ再生時に、ユーザがサムネイル画像の切替を希望するタイミングをカメラ１に記録させる方法がある。
【０１２３】
すなわち、ユーザが、一定間隔で所定のボタンを押し、ボタンが押された時間の間隔が記録される。カメラ１のＣＰＵ４１において記録された時間の間隔の平均値が算出され、例えばＲＡＭ４９に記録される。ＲＡＭ４９に記録された時間の間隔により撮影済み画像の切替がなされる。
【０１２４】
図１０は、ある音楽のオーディオレベルの波形を示す。ユーザは、音楽を聴きながらＰ１、Ｐ２、Ｐ３のタイミングでボタンを押したとする。このＰ１、Ｐ２、Ｐ３などのタイミングは、例えば４拍子などの音楽の拍子や小節である。ＣＰＵ４１では、ボタンが押される時間間隔のｔ１、ｔ２、ｔ３が算出され、ｔ１、ｔ２、ｔ３の平均値が算出される。算出された平均値はＲＡＭ４９に記憶され、この平均値が、撮影済み画像の切替がなされる間隔となる。
【０１２５】
ボタンを押すタイミングＰ１、Ｐ２、Ｐ３などを音楽の小節（例えば４拍子とする）にあわせることで、ボタンが押される間隔のｔ１、ｔ２、ｔ３などはおよそ４拍（１小節）となり、間隔の平均値も４拍（１小節）に近づく。したがって、撮影画像の切替がなされる間隔は、およそ４拍（１小節）となり、音楽のテンポ（つまり小節）にあわせた撮影済み画像の切替が可能となる。
【０１２６】
また、図１１Ａに示すようにＬＣＤ１６に表示されるメニュー画面にスライドショー時間設定を設け、設定することもできる。スライドショー時間設定を選択すると、図１１Ｂに示すようにＢＰＭ（Beat Per Minute）を入力する画面が表示される。ＢＰＭは一分間毎のビートを示し、ビートは曲のテンポを意味する。例えば６０ＢＰＭで一秒に１回のビート、１２０ＢＰＭで０．５秒に１回のビートとなる。
【０１２７】
例えば、楽譜などにはその音楽のＢＰＭが記載されることが多い。したがって、ユーザは記載されているＢＰＭを入力し、設定することで音楽のテンポにあわせたスライドショーの切替を行うことが可能となる。なお、ＢＰＭの数値は、例えば、ジョグダイヤル３８などを用いて入力される。また、リモートコントローラ７３を用いて入力されるようにしてもよい。
【０１２８】
次に、カメラ１により音楽の特徴が自動的に検出される一例について説明する。
【０１２９】
図１２は、音楽の特徴が自動的に検出され、検出された特徴の変化に同期してサムネイル画像の切替がなされる処理の流れを示す。
【０１３０】
ステップＳ１では、スライドショーボタン２０が押され、画像ファイルｔｈｍｂが読み出され、オーディオデータの再生が開始される。オーディオデータの再生が開始されると、処理がステップＳ２以降に進み、ＣＰＵ４１では音楽の特徴の検出処理がなされる。
【０１３１】
ステップＳ２では、音楽のテンポの検出のためにオーディオデータの高域および／または低域のピーク値が検出される。ピーク値の検出は、一定時間が経過するまで行われる（ステップＳ３）。ステップＳ３で、一定時間（この一実施形態ではｔ秒とする）が経過すると、処理がステップＳ４に進み、ｔ秒間のピーク値がしきい値とされる。
【０１３２】
次に、処理がステップＳ５に進み、しきい値が決定されてから、時間の測定が開始される。続いて、処理がステップＳ６に進み、オーディオレベルがしきい値を超えたか否かの判別がなされる。しきい値が超えたときは、処理がステップＳ７に進み、時間の測定が終了する。
【０１３３】
時間の測定が開始されてから、しきい値を超えるまでの時間間隔が、サムネイル画像の切替がなされる間隔である更新間隔Ｎ秒とされる。更新間隔Ｎ秒が決定されると、処理がステップＳ８に進み、更新間隔のカウントが開始される。続いて、処理がステップＳ９に進み、Ｎ秒経過するとＣＰＵ４１の割り込み処理により、ＳＤＲＡＭ６３に記憶されている画像ファイルｔｈｍｂから次のサムネイル画像が読みだされ、サムネイル画像の表示更新がなされる（ステップＳ１０）。
【０１３４】
なお、しきい値を例えばピーク値の７５％のように、ピーク値より少ない値に設定することもできる。
【０１３５】
この発明は、この発明の要旨を逸脱しない範囲内でさまざまな変形や応用が可能であり、上述した一実施形態に限定されることはない。例えば、この一実施形態では、データの記録媒体として光磁気ディスクを用いたが、その他にもＨＤＤ(Hard Disk Drive)、半導体メモリなどを用いてもよい。
【０１３６】
また、上述した一実施形態では、撮影済み画像とオーディオ記録再生機能付きカメラ１を用いて説明したが、撮影済み画像に限らず、例えばアニメ画像や動画などの画像と音楽が同時に再生される機能を備える機器に対しても幅広くこの発明を適用することができる。
【０１３７】
上述した一実施形態では、音楽のテンポを検出する一例を説明したが、その他に例えば、曲調、ロック、演歌、ポップスなどのジャンルのような属性情報、オーディオデータの振幅等を検出し、表示間隔を切り替えるようにすることもできる。
【０１３８】
また、ディスク６０に複数の音楽が記録されている場合は、音楽の切替りのタイミングをＣＰＵ４１で検出し、再度、音楽の特徴を検出し、表示間隔を決定するようにしてもよい。さらに、同じ音楽内において一度決定された表示間隔を可変とすることもできる。
【図面の簡単な説明】
【０１３９】
【図１】この発明の一実施形態におけるカメラの前面を示す図である。
【図２】この発明の一実施形態におけるカメラの背面、上面、底面、右側面、左側面を示す図である。
【図３】この発明の一実施形態における集中コントローラを示す図である。
【図４】各キーに割り当てられる機能の一例を示す図である。
【図５】この発明の一実施形態におけるモードの切替を示す略線図である。
【図６】この発明の一実施形態におけるカメラ１の信号処理系の構成を示すブロック図である。
【図７】この発明の一実施形態におけるメディアドライブ部の構成を示すブロック図である。
【図８】ディスクに記録されている画像データのファイル構成の一例を示す図である。
【図９】この発明の一実施形態におけるＳＤＲＡＭの一例を示す略線図である。
【図１０】この発明の一実施形態におけるオーディオデータの波形を示す。
【図１１】この発明の一実施形態におけるスライドショー時間を設定する表示画面である。
【図１２】この発明の一実施形態における表示間隔を決定するフローチャートである。
【符号の説明】
【０１４０】
１              カメラ
１１            撮影レンズ
１２            レンズカバー
１６、１４２    ＬＣＤ
４１            ＣＰＵ
６０            ディスク
６３            ＳＤＲＡＭ
７３            リモートコントロール装置
【図１】
2006153923.tif 000003
【図２】
2006153923.tif 000004
【図３】
2006153923.tif 000005
【図４】
2006153923.tif 000006
【図５】
2006153923.tif 000007
【図６】
2006153923.tif 000008
【図７】
2006153923.tif 000009
【図８】
2006153923.tif 000010
【図９】
2006153923.tif 000011
【図１１】
2006153923.tif 000012
【図１２】
2006153923.tif 000013
【図１０】
2006153923.tif 000014